(57)【特許請求の範囲】
【請求項１】
一つまたは複数の基地局が同一無線リソースを用いて複数の移動局宛の信号を送信する際に各移動局に割当てられる個別パイロット信号について、自局宛へのデータ送信に使用されるアンテナポート番号から、前記自局に接続される基地局に割当てられた個別パイロット信号を特定するとともに、他の移動局宛へのデータ送信に使用されるアンテナポート番号から、前記他の移動局に接続される基地局に割当てられた個別パイロット信号を特定する特定部と、
前記自局に接続される基地局から無線信号を受信する受信部と、
前記他の移動局に割当てられた個別パイロット信号を用いて、前記他の移動局に接続される基地局から前記他の移動局宛に送信された無線信号が前記自局に届くチャネルを推定する推定部と、
前記自局に割当てられた個別パイロット信号を用いて、前記受信した無線信号から前記自局宛のデータ信号を復号する際に、前記推定部によって推定されたチャネルの情報を用いて、前記無線信号における干渉信号を抑圧する復号部と
を有することを特徴とする移動局。
【請求項２】
前記一つまたは複数の基地局が各移動局に割当てる個別パイロット信号の対応関係を記憶する記憶部をさらに有し、
前記特定部は、前記自局に割当てられた個別パイロット信号に対応付けられる、前記他の移動局に割当てられた個別パイロット信号を前記記憶部から特定して取得することを特徴とする請求項１に記載の移動局。
【請求項３】
前記特定部は、前記自局が接続される第一の基地局と同一の無線リソースを用いて他の移動局に無線信号を送信する第二の基地局が、前記第二の基地局と接続される他の移動局に割当てた個別パイロット信号を、前記第一の基地局から取得することを特徴とする請求項１に記載の移動局。
【請求項４】
前記特定部は、前記同一無線リソースを利用するユーザデータの数の最大値を、前記自局が接続される基地局からさらに取得し、
前記推定部は、前記最大値から前記自局に割当てられた個別パイロット信号の数を除いた数の前記他の移動局に割当てられた個別パイロット信号を用いて、前記他の移動局に接続される基地局から前記他の移動局宛に送信された無線信号が前記自局に届くチャネルを推定することを特徴とする請求項１から３のいずれか一つに記載の移動局。
【請求項５】
移動局が
一つまたは複数の基地局が同一無線リソースを用いて複数の移動局宛の信号を送信する際に各移動局に割当てる個別パイロット信号について、自局宛へのデータ送信に使用されるアンテナポート番号から、前記自局に接続される基地局に割当てられた個別パイロット信号を特定するとともに、他の移動局宛へのデータ送信に使用されるアンテナポート番号から、前記他の移動局に接続される基地局に割当てられた個別パイロット信号を特定し、
前記自局に接続される基地局から無線信号を受信し、
前記他の移動局に割当てられた個別パイロット信号を用いて前記他の移動局に接続される基地局から前記他の移動局宛に送信された無線信号が前記自局に届くチャネルを推定し、
前記自局に割当てられた個別パイロット信号を用いて、前記受信した無線信号から前記自局宛のデータ信号を復号する際に、推定したチャネルの情報を用いて、前記無線信号における干渉信号を抑圧する
各処理を実行することを特徴とする無線通信方法。
【発明の詳細な説明】
【技術分野】
【０００１】
本発明は、移動局および無線通信方法に関する。
【背景技術】
【０００２】
近年、携帯電話システム等の無線通信システムにおいて、無線通信の更なる高速化や大容量化等を図るため、次世代の無線通信技術について議論が行われている。例えば、標準化団体である３ＧＰＰ（3rd  Generation  Partnership  Project）では、ＬＴＥ（Long  Term  Evolution）と呼ばれる通信規格や、ＬＴＥの無線通信技術をベースとしたＬＴＥ−Ａ（LTE−Advanced）と呼ばれる通信規格の標準化が行われている。【０００３】
ＬＴＥ−Ａでは、システム容量を増大させる技術の１つとして、ＭＵ−ＭＩＭＯ（Multi−user  Multiple  Input  Multiple  Output）伝送の適用をサポートしており、同一無線リソース上に複数のユーザ信号を空間多重して伝送を行う。【０００４】
また、ＬＴＥのリリース８では、各移動体端末装置（User  Equipment：UE）への伝送がランク数１に制限されており、プリコーディング重みは予め定義されたコードブックの中から選択される。例えば、無線基地局（evolutional  Node  B：eNB）は、下り制御チャネルを用いて、選択したプリコーディング重みの情報であるＰＭＩ（Precoding  Matrix  Index）をＵＥに通知する。ＵＥは、通知されたＰＭＩ情報とＣＲＳ（Cell−specific  Reference  Signals）とを用いて、自局宛のデータ信号（PDSCH：Physical  Downlink  Shared  Channel）を復調する。【０００５】
また、ＬＴＥのリリース９では、ＵＥ当たりのランク数が２まで拡張され、最大２レイヤの個別パイロット信号（ＤＭ−ＲＳ）の挿入を可能とする。さらに、ＬＴＥのリリース１０では、最大８レイヤのＤＭ−ＲＳの挿入が可能になっている。ＬＴＥのリリース９以降では、データチャネルと同一のプリコーディングが適用されたＤＭ−ＲＳの導入により、プリコーディング重みをコードブックから選択する制約がない。【０００６】
このため、ｅＮＢは、任意のプリコーディングを適用することができ、各ＵＥへＰＭＩを通知せず、自局に割り当てられたＤＭ−ＲＳのアンテナポート番号を通知する。ＵＥは、通知されたＤＭ−ＲＳを用いてＰＤＳＣＨを復調する。なお、ＬＴＥのリリース１０では、下りリンクＤＭ−ＲＳとして、８つのアンテナポートが規定されており、最大８レイヤの空間多重伝送をサポートする。【０００７】
また、ＬＴＥ−Ａでは、セル間干渉の低減や受信信号強度の改善を行うために、ＣｏＭＰ（Coordinated  MultiPoint）通信技術の導入が検討されている。ＣｏＭＰでは、地理的に離れた複数の通信ポイントが協調して通信を行う。各通信ポイントは、例えば、基地局、フェムト基地局、リモートアンテナ等で構成される。これら複数の通信ポイントを用いて、多地点間での送受信が調整される。【０００８】
例えば、下りリンクのＣｏＭＰでは、ＪＴ（Joint  Transmission）、ＤＰＳ（Dynamic  Point  Selection）、ＣＳ／ＣＢ（Coordinated  Scheduling／Coordinated  Beamforming）が検討されている。なお、ＪＴは、複数の通信ポイントから無線端末へ同一のデータを同時送信する方法である。ＤＰＳは、複数の通信ポイントの中から実際に送信するポイントを動的に選択する方法である。ＣＳ／ＣＢは、複数ポイント間で協調したプリコーディング制御を行う方法である。【０００９】
ＪＴやＤＰＳでは、複数の協調通信ポイントが、同一のＵＥに対してデータ信号を送信する。ＣＳ／ＣＢでは、協調する各セルが、それぞれ自セルのＵＥに対してデータを送信する。また、上りリンクのＣｏＭＰでは、複数のポイントで受信された信号をポイント間で通信しながら結合処理する方法（Joint  Reception：JR）や、ＤＰＳなどの方法が検討されている。
【先行技術文献】
【非特許文献】
【００１０】
【非特許文献１】3GPP  TS36.211  V10.4.0(2011−12)
【非特許文献２】3GPP  TS36.212  V10.5.0(2012−3)
【非特許文献３】3GPP  TS36.213  V10.5.0(2012−3)
【非特許文献４】3GPP  TS36.214  V10.1.0(2011−3)
【非特許文献５】3GPP  TR36.814  V9.0.0(2010−03)
【発明の概要】
【発明が解決しようとする課題】
【００１１】
しかしながら、従来技術では、干渉の抑圧を十分に行えないので、通信品質が劣化するという問題がある。【００１２】
例えば、ＬＴＥのリリース９以降では、ＤＭ−ＲＳを用いた下りリンクのＭＵ−ＭＩＭＯ送信が標準化され、リリース１１では、下りＣｏＭＰ送信の標準化が進められている。下りリンクのＭＵ−ＭＩＭＯ送信では、同一無線リソースに複数のＵＥ宛ての信号を多重する。また、下りリンクのＣｏＭＰ送信においても、ＣＳ／ＣＢでは協調セル間で同一無線リソースを用いてそれぞれ自セルのＵＥに対してデータ送信を行う。【００１３】
いずれの場合でも、ｅＮＢは、ＵＥからフィードバックされたＰＭＩが互いに直交するＵＥの組を選択したり、プリコーディングの調整を行ったりする。ところが、これらのように、送信時の干渉対策では受信信号から干渉信号を十分に除去するのは難しく、各ＵＥが復号した自装置宛ての信号は、通信品質がよくない。【００１４】
開示の技術は、上記に鑑みてなされたものであって、通信品質の劣化を抑制できる移動局および無線通信方法を提供することを目的とする。
【課題を解決するための手段】
【００１５】
本願の開示する移動局および無線通信方法は、一つの態様において、一つまたは複数の基地局が同一無線リソースを用いて複数の移動局宛の信号を送信する際に、各移動局に割当てられる個別パイロット信号を取得する取得部を有する。本願の開示する移動局および無線通信方法は、自局に接続される基地局から無線信号を受信する受信部を有する。本願の開示する移動局および無線通信方法は、前記取得部が取得した他の移動局に割当てられた個別パイロット信号を用いて、前記他の移動局に接続される基地局から前記他の移動局宛に送信された無線信号が前記自局に届くチャネルを推定する推定部を有する。本願の開示する移動局および無線通信方法は、自局に割当てられた個別パイロット信号を用いて、前記受信した無線信号から前記自局宛のデータ信号を復号する際に、前記推定部によって推定された推定値を用いて、前記無線信号における干渉信号を抑圧する復号部を有する。
【発明の効果】
【００１６】
本願の開示する移動局および無線通信方法の一つの態様によれば、通信品質の劣化を抑制できるという効果を奏する。
【図面の簡単な説明】
【００１７】
【図１】図１は、実施例１に係る無線通信システムの全体構成例を示す図である。
【図２】図２は、基地局の機能構成を示す機能ブロック図である。
【図３】図３は、移動局の機能構成を示す機能ブロック図である。
【図４】図４は、対応表の例１を示す図である。
【図５】図５は、対応表の例２を示す図である。
【図６】図６は、無線通信システムで実行される処理シーケンス図である。
【図７】図７は、無線通信システムにおける移動局が実行する処理の流れを示すフローチャートである。
【図８】図８は、実施例２に係る無線通信システムの全体構成例を示す図である。
【図９】図９は、実施例２に係る無線通信システムで実行される処理シーケンス図である。
【図１０】図１０は、実施例３に係る無線通信システムで実行される処理シーケンス図である。
【図１１】図１１は、実施例３に係る無線通信システムにおける移動局が実行する処理の流れを示すフローチャートである。
【図１２】図１２は、実施例３に係る無線通信システムで実行される処理シーケンス図である。
【図１３】図１３は、基地局のハードウェア構成を示す図である。
【図１４】図１４は、端末のハードウェア構成を示す図である。
【発明を実施するための形態】
【００１８】
以下に、本発明にかかる移動局および無線通信方法の実施例を図面に基づいて詳細に説明する。なお、この実施例によりこの発明が限定されるものではない。
【実施例１】
【００１９】
［全体構成］
図１は、実施例１に係る無線通信システムの全体構成例を示す図である。図１に示す無線通信システムは、基地局（ｅＮＢｉ）と基地局（ｅＮＢｊ）とが隣接し、多地点協調通信（ＣｏＭＰ）を実行するシステムである。この無線通信システムは、基地局と移動局とがＬＴＥによって無線通信を実行する。ここでは、各基地局が各セル内にある移動局に、同一無線リソースを用いてデータ信号を送信する場合を想定する。つまり、下りリンクの多地点協調通信を例にして説明する。なお、移動局の一例としては、携帯電話やスマートフォンが挙げられる。【００２０】
ｅＮＢｉは、無線リソースＡを用いて、携帯電話などの移動局（ＵＥｋ）にデータ信号を送信する。ＵＥｋは、ｅＮＢｉの電波が届くセルｉに接続し、ｅＮＢｉからデータ信号を受信する。【００２１】
ｅＮＢｊは、ｅＮＢｉが使用する無線リソースＡと同じ無線リソースＡを用いて、携帯電話などの移動局（ＵＥｃ）にデータ信号を送信する。ＵＥｃは、ｅＮＢｊの電波が届くセルｊに接続し、ｅＮＢｊからデータ信号を受信する。【００２２】
このような場合、ＵＥｋは、ｅＮＢｉから受信するデータ信号に加え、ｅＮＢｊから出力される信号も受信することになるので、自局宛のデータ信号の品質が悪い。そこで、ＵＥｋは、ＵＥｃに割り当てられている個別パイロット信号を知ることができれば、干渉信号の等価チャネル情報を推定することができる。【００２３】
ここで、セルｉにおいてＵＥｋ宛の送信信号に適用しているプリコーディングベクトルを「Ｗｋｉ」と表記し、セルｊ−ＵＥｋ間のチャネル行例を「Ｈｋｊ」と表記するものとする。この場合、ＵＥｋは、ＵＥｃに割り当てられている個別パイロット信号を知ることができれば、セルｊにおいて同一無線リソースを用いて通信を行っているＵＥｃからの干渉信号の等価チャネル情報「Ｈ（ｋ）ｉｊ＝Ｈｋｊ×Ｗｃｊ」を推定することができる。そうすると、ＵＥｋは、自局宛信号の等価チャネル情報「Ｈ（ｋ）ｉｉ＝Ｈｋｉ×Ｗｋｉ」と、干渉信号の等価チャネル情報「Ｈ（ｋ）ｉｊ＝Ｈｋｊ×Ｗｃｊ」とを用いて、データ信号を復号する際に干渉信号を抑圧することができる。
【００２４】
具体的には、ＵＥｋは、ｅＮＢｉとｅＮＢｊとが各移動局に割り当てる個別パイロット信号の対応関係を記憶する。そして、ＵＥｋは、自局に割当てられた個別パイロット信号に対応付けられる、他の移動局に割当てられた個別パイロット信号を取得する。その後、ＵＥｋは、他の移動局に割当てられた個別パイロット信号を用いて、ＵＥｃに接続されるｅＮＢｊからＵＥｃ宛に送信された無線信号が自局に届くチャネルを推定する。そして、ＵＥｋは、自局に割当てられた個別パイロット信号を用いて、受信したデータ信号から自局宛の信号を復号する際に、推定した推定値を用いてデータ信号から干渉信号を抑圧する。【００２５】
この結果、ＵＥｋは、ｅＮＢｉから受信したデータ信号を復号する際に、当該データ信号と干渉する、ｅＮＢｊからの干渉信号を抑圧することができる。このため、ＵＥｋは、ｅＮＢｉから受信するデータ信号の通信品質の劣化を抑制できる。【００２６】
［基地局の構成］
次に、図１に示した各基地局の機能構成を説明する。なお、図１に示したｅＮＢｉとｅＮＢｊとは同様の構成を有するので、ここでは、基地局１０として説明する。図２は、基地局の機能構成を示す機能ブロック図である。【００２７】
図２に示すように、基地局１０は、受信アンテナ１１、無線処理部１２、ＦＦＴ（Fast  Fourier  Transform）部１３、復調部１４、復号部１５、ＭＡＣ／ＲＬＣ（Medium  Access  Control／Radio  Link  Control）処理部１６、無線リソース制御部１７を有する。また、基地局１０は、ＭＡＣ制御部１８、パケット生成部１９、ＭＡＣスケジューリング部２０、符号化部２１、変調部２２、プリコーディング部２３、多重部２４、ＩＦＦＴ部２５、無線処理部２６、送信アンテナ２７を有する。なお、ここで説明する処理部は、あくまで例示であり、基地局１０は、図示する処理部以外の処理部を含んでいてもよい。【００２８】
受信アンテナ１１は、無線信号を受信して無線処理部１２に出力する。具体的には、受信アンテナ１１は、セル内に位置するＵＥから送信されたＯＦＤＭ（Orthogonal  Frequency  Division  Multiplexing）信号を受信する。例えば、受信アンテナ１１は、上りのデータチャネルや制御チャネルを介して上り信号を受信する。信号を受信するチャネルは、ＰＲＡＣＨ（Physical  Random  Access  Channel）、ＰＵＳＣＨ（Physical  Uplink  Shared  Channel）、ＰＵＣＣＨ（Physical  Uplink  Control  Channel）を含む。上り信号は、参照信号ＲＳ（Reference  Signal）、制御信号、データ信号を含む。【００２９】
なお、基地局１０は、複数の受信アンテナを備えるものとしてもよい。また、受信アンテナ１１と送信アンテナ２７とは、送信受信アンテナとして、送信と受信とを切替えて構成するものとしてもよい。【００３０】
無線処理部１２は、受信アンテナ１１から入力された受信信号に、ダウンコンバート、Ａ／Ｄ（アナログ／デジタル）変換、直交復調等の受信処理を実行する処理部である。例えば、無線処理部１２は、アナログ信号である受信信号をデジタル信号に変換して、ＦＦＴ部１３に出力する。【００３１】
ＦＦＴ部１３は、無線処理部１２から入力された信号にＦＦＴ処理を実行する処理部である。例えば、ＦＦＴ部１３は、無線受信処理後のデジタル信号に対して、ＦＦＴ処理を施して周波数領域信号に変換し、復調部１４に出力する。【００３２】
復調部１４は、予め通知されるあるいは格納される制御情報や復調のための参照信号に基づいて、ＦＦＴ処理された信号の復調処理を実行する処理部である。例えば、復調部１４は、ＵＥｋから送信された参照信号を用いてＵＥｋと自装置との間のチャネル推定を実行する。そして、復調部１４は、ＦＦＴ部１３から入力された信号に対してチャネル推定値を用いてチャネル補償を行い、ＦＦＴ処理された信号を復調する。【００３３】
復号部１５は、予め通知されるあるいは格納される制御情報や参照信号から推定されるチャネル推定値に基づいて、復調処理された信号を復号する処理部である。そして、復号部１５は、復号した信号をＭＡＣ／ＲＬＣ処理部１６に出力する。なお、復号処理は、例えば、参照信号を用いて推定されたＰＵＳＣＨのチャネル推定値を用いて行われる。【００３４】
ＭＡＣ／ＲＬＣ処理部１６は、復号部１５によって復号処理された信号のリオーダリング処理等を実行し、受信データを取得する処理部である。受信データは、例えば図示しない受信バッファに格納されてアプリケーション等により処理される。また、ＭＡＣ／ＲＬＣ処理部１６は、受信信号から取得される受信品質や制御情報等を出力する。また、ＭＡＣ／ＲＬＣ処理部１６、データ信号の復号結果として、ＡＣＫ（ACKnowledgement）やＮＡＣＫ（Negative  ACKnowledgement）を無線リソース制御部１７に出力する。さらに、ＭＡＣ／ＲＬＣ処理部１６は、データ信号の復号結果として、ＰＭＩ情報、ＲＩ(Rank  Indicator)、ＣＱＩ（Channel  Quality  Indicator）を無線リソース制御部１７に出力する。【００３５】
無線リソース制御部１７は、ＣｏＭＰ協調セル間における協調結果に基づいたＣｏＭＰ適用ＵＥの選択を実行する処理部である。例えば、無線リソース制御部１７は、ＭＡＣ／ＲＬＣ処理部１６から入力された情報、すなわちＵＥからフィードバックされたＰＭＩ情報、ＲＩ、ＣＱＩ等に基づいてＵＥの選択を実行する。【００３６】
一例を挙げると、無線リソース制御部１７は、ＣｏＭＰで協調する基地局間で使用するアンテナポートの対応表を保持する。なお、アンテナポートの対応表の一例は、後述する。そして、無線リソース制御部１７は、ＣｏＭＰで協調する他方の基地局が使用するアンテナポート番号を、他方の基地局から受信する。その後、無線リソース制御部１７は、受信した他方の基地局が使用するアンテナポート番号に対応付けられたアンテナポート番号を、保持する対応表から特定してＭＡＣ制御部１８に出力する。なお、ＵＥ側が対応表を保持していない場合、無線リソース制御部１７は、ＵＥに対応表を送信するために、対応表をパケット生成部１９に出力する。その後、基地局１０からＵＥに対応表が送信される。【００３７】
ＭＡＣ制御部１８は、各ＵＥへのアンテナポート番号の割り当てを実行する処理部である。例えば、ＭＡＣ制御部１８は、無線リソース制御部１７から通知されたアンテナポート番号をＵＥに割当てる。そして、ＭＡＣ制御部１８は、データ送信時にＰＤＣＣＨを用いて、割当てたアンテナポート番号の通知を実行する。また、ＭＡＣ制御部１８は、ＭＡＣスケジューリングに使用される制御情報を、ＭＡＣスケジューリング部２０に通知する。また、ＭＡＣ制御部１８は、ＰＤＣＣＨを介して送信する制御信号を多重部２９に出力する。【００３８】
パケット生成部１９は、ユーザデータや対応表のパケットを生成する処理部である。ユーザデータは、例えば、上位装置や他の基地局から取得され、図示しない送信バッファに格納される。また、パケット生成部１９が生成したパケットは、ＭＡＣスケジューリング部２０によって、送信バッファ等から読み出される。【００３９】
ＭＡＣスケジューリング部２０は、パケット生成部１９によって生成されたパケットに対して、トランスポートブロックへの割当て等を実行する処理部である。ＭＡＣスケジューリング部２０は、トランスポートブロックへの割当てが完了した送信データを符号化部２１に出力する。【００４０】
符号化部２１は、ＭＡＣスケジューリング部２０から入力された送信データを、制御情報に基づいて、符号化する処理部である。符号化部２１は、符号化したデータを変調部２２に出力する。【００４１】
変調部２２は、符号化部２１から入力された符号化後のデータを、制御情報に基づいて変調する処理部である。例えば、変調部２２は、６４ＱＡＭ（Quadrature  Amplitude  Modulation）やＱＰＳＫ（Quadrature  Phase  Shift  Keying）などの変調方式を用いて符号化データを変調し、プリコーディング部２３に出力する。【００４２】
プリコーディング部２３は、各ＵＥへのデータおよび付随するアンテナポート番号に対して、ＵＥ個別のプリコーディングを実行する処理部である。例えば、プリコーディング部２３は、ＵＥごとの送信データに対してＵＥごとに重み付けを実行し、多重部２４に出力する。【００４３】
多重部２４は、変調された送信データ、セルに共通の参照信号、個別制御信号（ＰＤＣＣＨ）等を、無線リソースに割り当てる処理部である。例えば、多重部２４は、送信データ、セル共通参照信号、個別制御信号を周波数軸においてマッピングすることにより周波数多重を実行し、ＩＦＦＴ部２５に出力する。すなわち、多重部２４は、ＯＦＤＭを用いたデジタル変調を実行する。【００４４】
ここで、ＣｏＭＰ通信を実行する実施例１の場合、ｅＮＢｉの多重部２４がＵＥｋの送信データに割当てた無線リソースと、ｅＮＢｊの多重部２４がＵＥｃの送信データに割当てた無線リソースとが同じであるとする。【００４５】
ＩＦＦＴ部２５は、多重部２４から入力された信号にＩＦＦＴ処理を実行する処理部である。つまり、ＩＦＦＴ部２５は、多重された信号を時間領域信号、すなわちＯＦＤＭ信号に変換して、無線処理部２６に出力する。【００４６】
無線処理部２６は、ＩＦＦＴ処理後の信号に、Ｄ／Ａ変換、歪補償処理、増幅処理、アップコンバート、直交変調等を行って、送信アンテナ２７に出力する処理部である。【００４７】
送信アンテナ２７は、無線処理部２６から入力される送信信号を送信する。なお、基地局１０は、複数の送信アンテナを備えるものとしてもよい。送信アンテナ２７は、例えば下りのデータチャネルや制御チャネルを介して、下り信号を送信する。信号を送信するチャネルは、ＰＳＣＨ（Primary  Search  Channel）、ＰＢＣＨ（Physical  Broadcast  Channel）、ＰＤＳＣＨ（Physical  Downlink  Shared  Channel）、ＰＤＣＣＨ（Physical  Downlink  Control  Channel）を含む。下り信号は、参照信号ＲＳ、制御信号、データ信号を含む。【００４８】
［移動局の構成］
次に、図１に示した各移動局の機能構成を説明する。なお、図１に示したＵＥｋとＵＥｃとは同様の構成を有するので、ここでは、移動局３０として説明する。図３は、移動局の機能構成を示す機能ブロック図である。【００４９】
図３に示すように、移動局３０は、アンテナ３１、無線処理部３２、ＦＦＴ部３３、制御チャネル復調部３４、復調部３５、復号部３６、制御情報処理部３７を有する。また、移動局３０は、データ処理部３８、多重部３９、シンボルマッピング部４０、多重部４１、ＦＦＴ部４２、周波数マッピング部４３、送信電力制御部４４、ＩＦＦＴ部４５、無線処理部４６を有する。なお、ここで説明する処理部は、あくまで例示であり、移動局３０は、図示する処理部以外の処理部を含んでいてもよい。【００５０】
アンテナ３１は、送信と受信とを切替え可能であり、無線信号の送信や受信を実行する。アンテナ３１は、送信の場合、無線処理部４６から出力されるＯＦＤＭ信号を送信する。アンテナ３１は、受信の場合、受信したＯＦＤＭ信号を無線処理部３２に出力する。なお、アンテナは送信と受信で別体としてもよい。また、複数のアンテナを備えるものとしてもよい。【００５１】
無線処理部３２は、受信された下りの無線信号に、ダウンコンバート、直交復調、Ａ／Ｄ変換等の受信処理を実行する処理部である。例えば、無線処理部３２は、アナログ信号である受信信号をデジタル信号に変換して、ＦＦＴ部３３に出力する。【００５２】
ＦＦＴ部３３は、無線処理部３２から入力された信号にＦＦＴ処理を実行する処理部である。例えば、ＦＦＴ部３３は、無線受信処理後のデジタル信号に対して受信されたＯＦＤＭ信号にＦＦＴ処理を施し、ＯＦＤＭ信号からサブキャリア信号を取得して、制御チャネル復調部３４と復調部３５とに出力する。【００５３】
制御チャネル復調部３４は、制御情報処理部３７から通知されるＲＮＴＩ（Radio  Network  Temporary  Identity）などの制御情報に基づいて、制御チャネル情報を復調する処理部である。例えば、制御チャネル復調部３４は、復調結果として、基地局１０が自局宛の送信データに使用したアンテナポートを復調部３５に出力する。また、制御チャネル復調部３４は、復調結果として、基地局１０が自局宛の送信データに使用した無線リソースの割当て情報を復号部３６に出力する。【００５４】
復調部３５は、個別制御チャネルで通知された制御情報を用いて、データ信号を復調する処理部である。具体的には、復調部３５は、互いに隣接するｅＮＢｉとｅＮＢｊとが同一無線リソースを用いて移動局宛の信号を送信する際に、各ｅＮＢが移動局に割当てるアンテナポートの対応関係を保持する。そして、復調部３５は、自局宛のデータ信号に用いられたアンテナポート番号を制御チャネル復調部３４から取得する。その後、復調部３５は、自局のアンテナポート番号に対応付けられた、他局宛のデータ信号に用いられたアンテナポート番号を対応表から特定する。【００５５】
続いて、復調部３５は、他局のアンテナポート番号によって個別パイロット信号の位置を特定し、他局に対するチャネルを推定する。そして、復調部３５は、自局のアンテナポート番号によって個別パイロット信号の位置を特定し、受信信号から自局宛のデータ信号を復調する際に、推定された他局のチャネル推定値を用いて、受信信号に含まれる干渉信号を抑圧する。つまり、復調部３５は、受信信号に含まれる自局宛のデータ信号の重みを大きく、受信信号に含まれる他局宛の干渉信号の重みを小さくして、自局宛のデータ信号を復調する。なお、復調部３５は、アンテナポート番号を用いることで、ＬＴＥのリリース１０におけるダウンリンクの個別パイロット信号のマッピングから、個別パイロット信号の位置を特定することができる。【００５６】
図４は、対応表の例１を示す図である。図４に示すように、対応表は、「割り当てアンテナポート番号、干渉アンテナポート番号（全２ポート、全４ポート、全６ポート）」を対応付けた情報である。「割り当てアンテナポート番号」は、自局に割当てられたアンテナポート番号を示す。「干渉アンテナポート番号（全２ポート）」は、協調する基地局が使用するアンテナポートの総数が２である場合に、当該使用するアンテナポートの番号を示す。「干渉アンテナポート番号（全４ポート）」は、協調する基地局が使用するアンテナポートの総数が４である場合に、当該使用するアンテナポートの番号を示す。「干渉アンテナポート番号（全６ポート）」は、協調する基地局が使用するアンテナポートの総数が６である場合に、当該使用するアンテナポートの番号を示す。【００５７】
図４の場合、自局に割り当てられたポート番号が７番と８番である状態で、協調先の基地局が２ポートを使用している場合には、そのアンテナポートの番号が９番と１０番であることを示す。また、自局割当てられたポート番号が７番と８番である状態で、協調先の基地局が４ポートを使用している場合には、そのアンテナポートの番号が９番と１０番と１１番と１３番であることを示す。また、自局割当てられたポート番号が７番と８番である状態で、協調先の基地局が６ポートを使用している場合には、そのアンテナポートの番号が９番と１０番と１１番と１２番と１３番と１４番であることを示す。【００５８】
なお、この対応関係は、基地局と移動局との間で共通に予め定義されており、協調先の基地局が使用するアンテナポートの総数は、ＲＲＣ（Radio  Resource  Control）シグナリング等を用いて、基地局から移動局に通知される。また、図４では、自局に２つのアンテナポートが割当てられた例を図示したが、これに限定されるものではない。例えば、図５に示すように、復調部３５は、自局に４つのアンテナポートが割当てられた場合にも同様の対応関係を保持することができる。【００５９】
図５は、対応表の例２を示す図である。図５に示すように、自局割当てられたポート番号が７番と８番と１１番と１３番である状態で、協調先の基地局が４ポートを使用している場合には、そのアンテナポートの番号が９番と１０番と１２番と１４番であることを示す。なお、図４や図５に示すアンテナポートの組み合わせは任意に設定変更することができる。ただし、アンテナポートの組み合わせは、空間多重を実行する際にマッピングされる個別パイロット信号の位置が同じポート番号の組み合わせにすることが好ましく、そうすることで、データをより多く送信することができる。【００６０】
ここで、図１に示した図を用いて、干渉信号の抑圧について説明する。ＵＥｋは、受信信号に対する自局宛の重み係数「ｗｋ」を、ＭＭＳＥ（Minimum  Mean  Squared  Error）法を用いて算出する。例えば、ＵＥｋは、ＵＥｃに割り当てられているアンテナポート番号を対応表から特定し、ＵＥｃの個別パイロット信号の位置を特定することができる。この結果、ＵＥｋは、セルｊにおいて同一無線リソースを用いて通信を行っているＵＥｃからの干渉信号の等価チャネル情報「Ｈ（ｋ）ｉｊ＝Ｈｋｊ×Ｗｃｊ」を推定することができる。また、ＵＥｋは、自局に用いられているアンテナポート番号から個別パイロット信号の位置を特定し、自局宛信号の等価チャネル情報「Ｈ（ｋ）ｉｉ＝Ｈｋｉ×Ｗｋｉ」を推定することができる。
【００６１】
そして、ＵＥｋは、自局宛信号の等価チャネル情報「Ｈ（ｋ）ｉｉ＝Ｈｋｉ×Ｗｋｉ」と、干渉信号の等価チャネル情報「Ｈ（ｋ）ｉｊ＝Ｈｋｊ×Ｗｃｊ」とを式（１）に代入することで、自局宛の重み係数「ｗｋ」を算出する。その後、ＵＥｋは、受信信号からデータ信号を復調する際に、この重み係数「ｗｋ」による重み付けを行って復調することで、干渉信号を抑圧した状態でデータ信号を復調することができる。なお、式（１）における「σ２」は、雑音＋協調セル以外からの他セル干渉の共分散行列を示す。また、ここでは、ＭＭＳＥ法を用いた例を説明したが、これに限定されるものではなく、様々な復調方法を用いることができる。
【００６２】
【数１】
0005874820.tif 000002
【００６３】
図３に戻り、復号部３６は、復調部３５によって復調されたデータ信号を、個別制御チャネルで通知された制御情報を用いて復号する処理部である。復号されて取得された受信データは、例えば図示しない受信バッファに格納され、図示しないアプリケーション処理部により処理される。また、復号されて取得された制御情報は、制御情報処理部３７に出力される。復号して得られる制御情報は、ＲＲＣ制御情報、ＭＡＣ−ＣＥ（Control  Element）制御情報、報知情報、ページング情報を含む。【００６４】
また、復号部３６によって取得された参照信号から、受信品質を取得することもできる。受信品質には、例えば、ＳＩＲ（Signal  to  Interference  Ratio）、ＳＩＮＲ（Signal  to  Interference  and  Noise  Ratio）が含まれる。また、受信品質には、ＲＳＲＰ（Reference  Signal  Received  Power）、ＲＳＲＱ（Reference  Signal  Received  Power＝受信電力値／総電力値）が含まれる。【００６５】
制御情報処理部３７は、受信された制御情報を処理し、制御チャネル復調部３４や送信電力制御部４４に出力する処理部である。例えば、制御情報処理部３７は、ＲＮＴＩ情報を制御チャネル復調部３４に出力する。また、制御情報処理部３７は、送信電力制御部４４に、送信電力制御パラメータを出力する。【００６６】
データ処理部３８は、送信データからデータ信号を生成する処理部である。例えば、送信データは、図示しないアプリケーション処理部により処理されて、図示しない送信バッファに格納される。データ処理部３８は、アプリケーション等が送信バッファに格納されたデータを読み出し、データ信号を生成して多重部３９に出力する。【００６７】
多重部３９は、データ処理部３８から入力されたデータ信号に、ＲＲＣやＭＡＣ−ＣＥなどの制御情報から生成される制御信号を多重する処理部である。そして、多重部３９は、多重した信号をシンボルマッピング部４０に出力する。なお、多重部３９が使用する多重方式は、ＳＣ−ＦＤＭＡ（Single  Carrier−Frequency  Division  Multiple  Access）など、任意の多重方式を用いることができる。【００６８】
シンボルマッピング部４０は、多重部３９から入力された送信対象の信号を時間軸方向にマッピングする処理部である。そして、シンボルマッピング部４０は、マッピングが完了した信号を多重部４１に出力する。【００６９】
多重部４１は、シンボルマッピング部４０によってシンボルマッピングされた信号に、参照信号であるパイロット信号を多重する処理部である。そして、多重部４１は、多重した信号をＦＦＴ部４２に出力する。なお、多重部４１が使用する多重方式は、任意の多重方式を用いることができる。【００７０】
ＦＦＴ部４２は、多重部４１によって多重された信号にＦＦＴ処理を実行して、周波数マッピング部４３に出力する処理部である。周波数マッピング部４３は、ＦＦＴ部４２によってＦＦＴ処理された信号を周波数方向にマッピングして、ＩＦＦＴ部４５に出力する処理部である。【００７１】
ＩＦＦＴ部４５は、周波数マッピング部４３によって周波数マッピングされた信号にＩＦＦＴ処理を実行して、送信信号を生成する処理部である。無線処理部４６は、ＩＦＦＴ部４５によってＩＦＦＴ処理された信号にＤ／Ａ変換処理等を実行して、アンテナ３１に出力する処理部である。
【００７２】
なお、説明を省略したが、ＯＦＤＭ信号には、ＣＰ（Cyclic  Prefix）が付加されてもよい。この場合には、ＦＦＴ部３３の入力段でＣＰが除去され、ＩＦＦＴ部４５の出力段でＣＰが付加される。【００７３】
［処理の流れ］
次に、図１に示した無線通信システムで実行される処理の流れを説明する。ここでは、図６を用いて、無線通信システムで実行される処理シーケンスを説明し、図７を用いて、移動局が実行する処理の流れを説明する。【００７４】
（シーケンス）
図６は、無線通信システムで実行される処理シーケンス図である。ここでは、ｅＮＢｉとＵＥｋとｅＮＢｊとＵＥｃとの間で、使用するアンテナポート番号の総数が予め規定されているものとする。【００７５】
例えば、無線通信システムで使用されるアンテナポートの総数が６であり、ｅＮＢｉが使用するアンテナポートが２個である場合、ｅＮＢｊが使用するアンテナポートが４個となる。そして、ＵＥｋは、自局に割当てられたアンテナポートが２個であることから、ＣｏＭＰ送信の対象となるＵＥｃには４個のアンテナポートが割当てられていると特定することができる。なお、予め規定されていない場合には、使用するアンテナポートの数を互いに事前にやり取りすることもできる。【００７６】
図６に示すように、ｅＮＢｉは、隣接するｅＮＢｊに、スケジュール情報を送信する（Ｓ１０１）。ここで送信されるスケジュール情報は、ＣｏＭＰを適用するＵＥｋのスケジュール情報であって、ＵＥｋに割り当てる無線リソースの情報とアンテナポート番号とが含まれる。【００７７】
続いて、ｅＮＢｊは、ｅＮＢｉが送信したスケジュール情報を受信する（Ｓ１０２）。ｅＮＢｊは、このスケジュール情報から、ＣｏＭＰ送信を実行する無線リソースと、ＣｏＭＰ送信でｅＮＢｉがＵＥｋに割り当てるアンテナポート番号とを特定することができる。そして、ｅＮＢｊは、図４や図５に示した対応表を参照し、ｅＮＢｉが割り当てるアンテナポート番号に対応するアンテナポート番号を特定し、特定したアンテナポート番号を使用すると決定する。【００７８】
その後、ｅＮＢｉは、下りリンクのスケジュール情報をＵＥｋに送信し（Ｓ１０４とＳ１０５）、ＵＥｋは、ｅＮＢｉが送信したスケジュール情報を受信する（Ｓ１０６）。ここで送信されるスケジュール情報には、ＵＥｋに割り当てるアンテナポート番号が含まれる。【００７９】
同様に、ｅＮＢｊは、下りリンクのスケジュール情報をＵＥｃに送信し（Ｓ１０７とＳ１０８）、ＵＥｃは、ｅＮＢｊが送信したスケジュール情報を受信する（Ｓ１０９）。ここで送信されるスケジュール情報には、Ｓ１０３で受信したスケジュール情報から特定し、ＵＥｃに割り当てたアンテナポート番号が含まれる。【００８０】
そして、ｅＮＢｉは、Ｓ１０１でｅＮＢｊに通知した無線リソースを用いて、無線信号をＵＥｋに送信し（Ｓ１１０とＳ１１１）、ＵＥｋは、ｅＮＢｉが送信した無線信号を受信する（Ｓ１１２）。続いて、ＵＥｋは、受信した無線信号から自局宛のデータ信号を復号する（Ｓ１１３）。【００８１】
例えば、ＵＥｋは、図４や図５に示した対応表を参照し、ｅＮＢｊが使用するアンテナポート番号として、Ｓ１０６で通知されたアンテナポート番号に対応するアンテナポート番号を特定する。そして、ＵＥｋは、特定したアンテナポート番号からＵＥｃの個別パイロット信号の位置を特定するとともに、Ｓ１０５で通知されたアンテナポート番号から自局の個別パイロット信号の位置を特定する。続いて、ＵＥｋは、ＵＥｃの個別パイロット信号を用いて、ｅＮＢｊがＵＥｃに送信した無線信号であって、ｅＮＢｉから無線信号を受信する際に含まれる無線信号のチャネルを推定する。その後、ＵＥｋは、自局の個別パイロット信号を用いて、受信した無線信号から自局宛のデータ信号を復号する。この際、ＵＥｋは、推定したｅＮＢｊからのチャネル推定値を用いて、干渉信号を抑圧する。【００８２】
同様に、ｅＮＢｊは、Ｓ１０３でｅＮＢｉから通知された無線リソースを用いて、無線信号をＵＥｃに送信する（Ｓ１１４とＳ１１５）、ＵＥｃは、ｅＮＢｊが送信した無線信号を受信する（Ｓ１１６）。続いて、ＵＥｃは、受信した無線信号から自局宛のデータ信号を復号する（Ｓ１１７）。【００８３】
例えば、ＵＥｃは、図４や図５に示した対応表を参照し、ｅＮＢｉが使用するアンテナポート番号として、Ｓ１０３で通知されたアンテナポート番号を特定する。そして、ＵＥｃは、特定したアンテナポート番号からＵＥｋの個別パイロット信号の位置を特定するとともに、Ｓ１０７で通知されたアンテナポート番号から自局の個別パイロット信号の位置を特定する。続いて、ＵＥｃは、ＵＥｋの個別パイロット信号を用いて、ｅＮＢｉがＵＥｋに送信した無線信号であって、ｅＮＢｊから無線信号を受信する際に含まれる無線信号のチャネルを推定する。その後、ＵＥｃは、自局の個別パイロット信号を用いて、受信した無線信号から自局宛のデータ信号を復号する。この際、ＵＥｃは、推定したｅＮＢｉからのチャネル推定値を用いて、干渉信号を抑圧する。【００８４】
その後、基地局から移動局に対して下りリンクのデータ送信が実行される場合には、Ｓ１０１からＳ１１７の処理が実行される。【００８５】
（移動局における処理）
図７は、無線通信システムにおける移動局が実行する処理の流れを示すフローチャートである。ここでは、ＵＥｋを例にして説明する。【００８６】
図７に示すように、ＵＥｋは、自局が接続されるｅＮＢｉから、下りリンクのスケジュール情報を受信する（Ｓ２０１）。このスケジュール情報には、自局に割り当てられたアンテナポート番号が含まれる。また、ＵＥｋは、無線通信システムにおけるＣｏＭＰ通信で使用されるアンテナポートの最大数を把握しているものとする。つまり、ＵＥｋは、最大数が６の状態で、Ｓ２０１で２つのアンテナポート番号が通知された場合、他局に４つのアンテナポート番号が割当てられていると特定することができる。【００８７】
続いて、ＵＥｋは、自局が接続される基地局であるｅＮＢｉから無線信号を受信する（Ｓ２０２）。そして、ＵＥｋは、図４や図５に示した対応表を参照し、Ｓ２０１で受信した自局のアンテナポート番号に対応する、他局に割り当てられたアンテナポート番号を特定する（Ｓ２０３）。【００８８】
その後、ＵＥｋは、Ｓ２０３で特定した、他局に割り当てられたアンテナポート番号から他局の個別パイロット信号の位置を特定し、特定した他局の個別パイロット信号を用いて、干渉信号のチャネルを推定する（Ｓ２０４）。【００８９】
そして、ＵＥｋは、Ｓ２０１で受信した自局のアンテナポート番号から特定される個別パイロット信号を用いて無線信号からデータ信号を復号する際に、干渉信号のチャネル推定値を用いて干渉信号を抑圧して復号する（Ｓ２０５）。【００９０】
［効果］
このように、実施例１によれば、移動局は、ＣｏＭＰ送信を実行する各基地局が移動局に割当てるアンテナポート番号の対応表を保持する。このため、各移動局は、複数の基地局が同一の無線リソースを用いて、異なる移動局にデータを送信した場合であっても、他の移動局のアンテナポート番号を特定することができる。したがって、各移動局は、干渉信号のチャネルを推定することができる。この結果、各移動局は、データ信号を復号する際に干渉信号を抑圧することができる。したがって、各移動局は、受信するデータ信号の通信品質の劣化を抑制できる。また、他移動局に割り当てられたアンテナポート番号を各移動局に通知しないことから、制御情報のオーバーヘッドを削減することができる。
【実施例２】
【００９１】
実施例１では、ＣｏＭＰ送信を行う例を説明したが、これに限定されるものではなく、マルチユーザＭＩＭＯ送信であっても同様に処理することができる。そこで、実施例２では、マルチユーザＭＩＭＯ送信を例にして説明する。なお、実施例２に係る各装置の機能構成は、実施例１と同様であるので、詳細な説明は省略する。【００９２】
［全体構成］
図８は、実施例２に係る無線通信システムの全体構成例を示す図である。図８に示す無線通信システムは、基地局（ｅＮＢｉ）がマルチユーザＭＩＭＯ送信を用いて、移動局（ＵＥｋ）宛のデータ信号と移動局（ＵＥｃ）宛のデータ信号とを同一無線リソースに多重して送信するシステムである。この無線通信システムは、基地局と移動局とがＬＴＥによって無線通信を実行する。ここでは、ｅＮＢｉが各セル内にある２つの移動局に、同一無線リソースに多重してデータ信号を送信する場合を想定する。つまり、下りリンクのマルチユーザＭＩＭＯ通信を例にして説明する。【００９３】
例えば、ｅＮＢｉがセル内に位置する２つのＵＥにＭＩＭＯ送信を実行する場合、図２に示した多重部２４は、ＵＥごとにプリコーディングされた２つの送信データを、同一無線リソースに多重する。また、ここでは、ＵＥｋを例にして説明するが、ＵＥｃについても同様に処理することができる。【００９４】
ｅＮＢｉは、ＵＥｋ宛のデータ信号とＵＥｃ宛のデータ信号とを無線リソースＡに多重して送信する。ＵＥｋは、ｅＮＢｉの電波が届くセルｉに接続し、ｅＮＢｉからデータ信号を受信する。同様に、ＵＥｃは、ｅＮＢｉの電波が届くセルｉに接続し、ｅＮＢｉからデータ信号を受信する。【００９５】
このような場合、ＵＥｋは、多重されたデータ信号をｅＮＢｉから受信することになるので、受信した無線信号に他局宛のデータが含まれており、自局宛のデータ信号の品質が悪い。そこで、ＵＥｋは、ＵＥｃに割り当てられている個別パイロット信号を知ることができれば、干渉信号の等価チャネル情報を推定することができる。【００９６】
ここで、セルｉにおいてＵＥｋ宛の送信信号に適用しているプリコーディングベクトルを「Ｗｋｉ」と表記し、セルｊ−ＵＥｋ間のチャネル行例を「Ｈｋｊ」と表記するものとする。この場合、ＵＥｋは、ＵＥｃに割り当てられている個別パイロット信号を知ることができれば、セルｊにおいて同一無線リソースを用いて通信を行っているＵＥｃからの干渉信号の等価チャネル情報「Ｈ（ｋ）ｉｃ＝Ｈｋｉ×Ｗｃｉ」を推定することができる。
【００９７】
そして、ＵＥｋは、自局宛信号の等価チャネル情報「Ｈ（ｋ）ｉｉ＝Ｈｋｉ×Ｗｋｉ」と、干渉信号の等価チャネル情報「Ｈ（ｋ）ｉｃ＝Ｈｋｉ×Ｗｃｉ」とを、式（２）に代入することで、自局宛の重み係数「ｗｋ」を算出する。その後、ＵＥｋは、受信信号からデータ信号を復号する際に、この重み係数「ｗｋ」による重み付けを行って復号することで、干渉信号を抑圧した状態でデータ信号を復号することができる。なお、式（２）における「σ２」は、雑音＋協調セル以外からの他セル干渉の共分散行列を示す。また、ここでは、実施例１と同様に、ＭＭＳＥ法を用いた例を説明したが、これに限定されるものではなく、様々な復号方法を用いることができる。
【００９８】
【数２】
0005874820.tif 000003
【００９９】
具体的には、ＵＥｋは、ｅＮＢｉが各ＵＥに割当てるアンテナポート番号の組み合わせの対応表を保持する。そして、ＵＥｋは、ｅＮＢｊが自局に割り当てる自局のアンテナポート番号を受信する。続いて、ＵＥｋは、対応表を参照し、受信した自局のアンテナポート番号に対応するアンテナポート番号を、ＵＥｃの割り当てる他局のアンテナポート番号として特定する。【０１００】
この結果、ＵＥｋは、自局のアンテナポート番号から自局の個別パイロット信号を特定でき、他局のアンテナポート番号からＵＥｃの個別パイロット信号を特定できる。したがって、ＵＥｋは、自局宛信号の等価チャネル情報「Ｈ（ｋ）ｉｉ＝Ｈｋｉ×Ｗｋｉ」と、干渉信号の等価チャネル情報「Ｈ（ｋ）ｉｃ＝Ｈｋｉ×Ｗｃｉ」とを算出することができる。そして、ＵＥｋは、これらの値を式（２）に代入することで、重み係数「ｗｋ」を算出する。そして、ＵＥｋは、この重み係数「ｗｋ」による重み付けをして復号することで、干渉信号を抑圧してデータ信号を復号することができる。
【０１０１】
［処理の流れ］
次に、図８に示した実施例２に係る無線通信システムで実行される処理の流れを説明する。ここでは、無線通信システムで実行される処理シーケンスを説明する。なお。移動局が実行する処理は、実施例１と同様であるので、詳細な説明は省略する。【０１０２】
図９は、実施例２に係る無線通信システムで実行される処理シーケンス図である。ここでは、ｅＮＢｉとＵＥｋとＵＥｃとの間で、使用するアンテナポート番号の総数が予め規定されているものとする。【０１０３】
図９に示すように、ｅＮＢｉは、セル内に位置するＵＥｋとＵＥｃの各々に、スケジュール情報を送信する（Ｓ３０１〜Ｓ３０３）。ここで、ＵＥｋに送信されるスケジュール情報は、マルチユーザＭＩＭＯ送信を適用するＵＥｋのスケジュール情報であって、ＵＥｋに割り当てる無線リソースの情報とＵＥｋに割り当てるアンテナポート番号とが含まれる。同様に、ＵＥｃに送信されるスケジュール情報は、マルチユーザＭＩＭＯ送信を適用するＵＥｃのスケジュール情報であって、ＵＥｃに割り当てる無線リソースの情報とＵＥｃに割り当てるアンテナポート番号とが含まれる。【０１０４】
続いて、ＵＥｋは、ｅＮＢｉが送信したスケジュール情報を受信する（Ｓ３０４）。ＵＥｋは、このスケジュール情報から、マルチユーザＭＩＭＯ送信を実行する無線リソースと、マルチユーザＭＩＭＯ送信でＵＥｋに割当てられたアンテナポート番号とを特定することができる。そして、ＵＥｋは、図４や図５に示した対応表を参照し、自局が使用するアンテナポート番号に対応するＵＥｃのアンテナポート番号を特定する。【０１０５】
同様に、ＵＥｃは、ｅＮＢｉが送信したスケジュール情報を受信する（Ｓ３０５）。ＵＥｃは、このスケジュール情報から、マルチユーザＭＩＭＯ送信を実行する無線リソースと、マルチユーザＭＩＭＯ送信でＵＥｃに割当てられたアンテナポート番号とを特定することができる。そして、ＵＥｃは、図４や図５に示した対応表を参照し、自局が使用するアンテナポート番号に対応するＵＥｋのアンテナポート番号を特定する。【０１０６】
そして、ｅＮＢｉは、Ｓ３０１で通知した無線リソースを用いて各局宛のデータを多重して、ＵＥｋとＵＥｃとに送信する（Ｓ３０６〜Ｓ３０８）。ＵＥｋは、ｅＮＢｉが送信した無線信号を受信する（Ｓ３０９）。続いて、ＵＥｋは、受信した無線信号から自局宛のデータ信号を復号する（Ｓ３１０）。このとき、ＵＥｋは、ＵＥｃのアンテナポート番号から特定される個別パイロット信号を用いてチャネル推定値を算出し、チャネル推定値を用いて干渉信号を抑圧して復号する。【０１０７】
同様に、ＵＥｃは、ｅＮＢｉが送信した無線信号を受信する（Ｓ３１１）。続いて、ＵＥｃは、受信した無線信号から自局宛のデータ信号を復号する（Ｓ３１２）。このとき、ＵＥｃは、ＵＥｋのアンテナポート番号から特定される個別パイロット信号を用いてチャネル推定値を算出し、チャネル推定値を用いて干渉信号を抑圧して復号する。その後、マルチユーザＭＩＭＯ送信が実行される場合には、Ｓ３０１以降が繰り返される。【０１０８】
［効果］
このように、実施例２によれば、移動局は、マルチユーザＭＩＭＯ送信を実行する基地局が各移動局に割当てるアンテナポート番号の対応表を保持する。このため、各移動局は、基地局が同一の無線リソースに異なる移動局にデータを多重して送信した場合であっても、他の移動局のアンテナポート番号を特定することができる。したがって、各移動局は、干渉信号のチャネルを推定することができる。この結果、各移動局は、データ信号を復号する際に干渉信号を抑圧することができる。したがって、各移動局は、受信するデータ信号の通信品質の劣化を抑制できる。
【実施例３】
【０１０９】
実施例１では、ＣｏＭＰ送信において、ＣｏＭＰ適用対象のＵＥがアンテナポート番号の対応表を保持している例を説明したが、これに限定されるものではない。例えば、基地局が、ＣｏＭＰ適用対象のＵＥに割り当てられたアンテナポート番号を各ＵＥに通知することもできる。なお、実施例３に係る無線通信システムの全体構成や各装置の機能構成は、実施例１と同様であるので、詳細な説明は省略する。ここでは、実施例３に係る無線通信システムにおける処理の流れと、移動局が実行する処理の流れとを説明する。【０１１０】
（シーケンス）
図１０は、実施例３に係る無線通信システムで実行される処理シーケンス図である。図１０に示すように、ｅＮＢｉは、隣接するｅＮＢｊに、スケジュール情報を送信する（Ｓ４０１とＳ４０２）。ここで送信されるスケジュール情報は、ＣｏＭＰを適用するＵＥｋのスケジュール情報であって、ＵＥｋに割り当てた無線リソースの情報とアンテナポート番号とが含まれる。【０１１１】
続いて、ｅＮＢｊは、ｅＮＢｉが送信したスケジュール情報を受信する（Ｓ４０３）。ｅＮＢｊは、このスケジュール情報から、ＣｏＭＰ送信を実行する無線リソースと、ＣｏＭＰ送信でｅＮＢｉがＵＥｋに割り当てるアンテナポート番号とを特定することができる。【０１１２】
そして、ｅＮＢｊは、隣接するｅＮＢｉに、スケジュール情報を送信する（Ｓ４０４とＳ４０５）。ここで送信されるスケジュール情報は、ＣｏＭＰを適用するＵＥｃのスケジュール情報であって、ＵＥｃに割り当てた無線リソースの情報とアンテナポート番号とが含まれる。【０１１３】
続いて、ｅＮＢｉは、ｅＮＢｊが送信したスケジュール情報を受信する（Ｓ４０６）。ｅＮＢｉは、このスケジュール情報から、ＣｏＭＰ送信でｅＮＢｊがＵＥｃに割り当てるアンテナポート番号を特定することができる。【０１１４】
その後、ｅＮＢｉは、下りリンクのスケジュール情報をＵＥｋに送信し（Ｓ４０７とＳ４０８）、ＵＥｋは、ｅＮＢｉが送信したスケジュール情報を受信する（Ｓ４０９）。ここで送信されるスケジュール情報には、ＵＥｋに割り当てるアンテナポート番号とＵＥｃに割り当てるアンテナポート番号とが含まれる。【０１１５】
同様に、ｅＮＢｊは、下りリンクのスケジュール情報をＵＥｃに送信し（Ｓ４１０とＳ４１１）、ＵＥｃは、ｅＮＢｊが送信したスケジュール情報を受信する（Ｓ４１２）。ここで送信されるスケジュール情報には、ＵＥｋに割り当てるアンテナポート番号とＵＥｃに割り当てるアンテナポート番号とが含まれる。【０１１６】
そして、ｅＮＢｉは、Ｓ４０１でｅＮＢｊに通知した無線リソースを用いて、無線信号をＵＥｋに送信し（Ｓ４１３とＳ４１４）、ＵＥｋは、ｅＮＢｉが送信した無線信号を受信する（Ｓ４１５）。続いて、ＵＥｋは、受信した無線信号から自局宛のデータ信号を復号する（Ｓ４１６）。【０１１７】
すなわち、ＵＥｋは、Ｓ４０９で受信した自局に割り当てられたアンテナポート番号から特定される個別パイロット信号を用いて、受信した無線信号からデータ信号を復号する。このとき、ＵＥｋは、Ｓ４０９で受信したＵＥｃに割り当てられたアンテナポート番号から個別パイロット信号を特定する。そして、ＵＥｋは、ｅＮＢｊがＵＥｃに送信した無線信号であって、ｅＮＢｉから無線信号を受信する際に含まれる無線信号のチャネルを推定する。その後、ＵＥｋは、受信した無線信号から自局宛のデータ信号を復号する際に、推定したｅＮＢｊからのチャネル推定値を用いて、干渉信号を抑圧する。【０１１８】
同様に、ｅＮＢｊは、Ｓ４０１でｅＮＢｉから通知された無線リソースを用いて、無線信号をＵＥｃに送信し（Ｓ４１７とＳ４１８）、ＵＥｃは、ｅＮＢｊが送信した無線信号を受信する（Ｓ４１９）。続いて、ＵＥｃは、受信した無線信号から自局宛のデータ信号を復号する（Ｓ４２０）。【０１１９】
すなわち、ＵＥｃは、Ｓ４１２で受信した自局に割り当てられたアンテナポート番号から特定される個別パイロット信号を用いて、受信した無線信号からデータ信号を復号する。このとき、ＵＥｃは、Ｓ４１２で受信したＵＥｋに割当てられたアンテナポート番号から個別パイロット信号を特定する。そして、ＵＥｃは、ｅＮＢｉがＵＥｋに送信した無線信号であって、ｅＮＢｊから無線信号を受信する際に含まれる無線信号のチャネルを推定する。その後、ＵＥｃは、受信した無線信号から自局宛のデータ信号を復号する際に、推定したｅＮＢｉからのチャネル推定値を用いて、干渉信号を抑圧する。【０１２０】
その後、Ｓ４０１からＳ４０６でやり取りされたアンテナポート番号に変更がない場合、Ｓ４０７からＳ４２０までの処理が繰り返される。また、Ｓ４０１からＳ４０６でやり取りされたアンテナポート番号に変更がある場合、Ｓ４０１以降の処理を実行する。【０１２１】
（移動局における処理）
図１１は、実施例３に係る無線通信システムにおける移動局が実行する処理の流れを示すフローチャートである。ここでは、ＵＥｋを例にして説明する。【０１２２】
図１１に示すように、ＵＥｋは、自局が接続されるｅＮＢｉから、下りリンクのスケジュール情報を受信する（Ｓ５０１）。このスケジュール情報には、自局に割り当てられたアンテナポート番号と、ＣｏＭＰ適用先のＵＥｃに割り当てられるアンテナポート番号とが含まれる。【０１２３】
続いて、ＵＥｋは、自局が接続される基地局であるｅＮＢｉから無線信号を受信する（Ｓ５０２）。そして、ＵＥｋは、Ｓ５０１で受信した他局であるＵＥｃに割当てられたアンテナポート番号から他局の個別パイロット信号の位置を特定し、特定した他局の個別パイロット信号を用いて、干渉信号のチャネルを推定する（Ｓ５０３）。【０１２４】
そして、ＵＥｋは、Ｓ５０１で受信した自局のアンテナポート番号から特定される個別パイロット信号を用いて無線信号からデータ信号を復号する際に、干渉信号のチャネル推定値を用いて干渉信号を抑圧して復号する（Ｓ５０４）。【０１２５】
［効果］
このように、実施例３によれば、移動局は、アンテナポート番号の対応表を保持していない場合でも、実施例１と同様に、干渉信号のチャネルを推定することができる。したがって、移動局は、受信信号からデータ信号を復号する際に、干渉信号を抑圧することができ、データ信号の通信品質の劣化を抑制できる。また、移動局は、対応表を保持しないので、メモリ容量を削減でき、小型化を推進することができる。
【実施例４】
【０１２６】
実施例２では、マルチユーザＭＩＭＯ送信において、ＵＥがアンテナポート番号の対応表を保持している例を説明したが、これに限定されるものではない。例えば、基地局が、マルチユーザＭＩＭＯ送信対象のＵＥに割当てられたアンテナポート番号を各ＵＥに通知することもできる。なお、実施例４に係る無線通信システムの全体構成や各装置の機能構成は、実施例２と同様であるので、詳細な説明は省略する。ここでは、実施例４に係る無線通信システムにおける処理の流れを説明する。なお、移動局が実行する処理は、実施例３と同様の処理なので、詳細な説明は省略する。【０１２７】
図１２は、実施例３に係る無線通信システムで実行される処理シーケンス図である。図１２に示すように、ｅＮＢｉは、セル内に位置するＵＥｋとＵＥｃの各々に、スケジュール情報を送信する（Ｓ６０１〜Ｓ６０３）。【０１２８】
ここで、ＵＥｋおよびＵＫｃに送信されるスケジュール情報は、マルチユーザＭＩＭＯ送信を適用するＵＥｋおよびＵＫｃのスケジュール情報である。このスケジュール情報には、ＵＥｋおよびＵＥｃに割当てる無線リソースの情報と、ＵＥｋに割り当てるアンテナポート番号と、ＵＥｃに割り当てるアンテナポート番号とが含まれる。【０１２９】
続いて、ＵＥｋは、ｅＮＢｉが送信したスケジュール情報を受信する（Ｓ６０４）。ＵＥｋは、このスケジュール情報から、マルチユーザＭＩＭＯ送信を実行する無線リソースと、マルチユーザＭＩＭＯ送信でＵＥｋに割り当てられたアンテナポート番号と、ＵＥｃに割り当てられたアンテナポート番号とを特定することができる。【０１３０】
同様に、ＵＥｃは、ｅＮＢｉが送信したスケジュール情報を受信する（Ｓ６０５）。ＵＥｃは、このスケジュール情報から、マルチユーザＭＩＭＯ送信を実行する無線リソースと、マルチユーザＭＩＭＯ送信でＵＥｋに割り当てられたアンテナポート番号と、ＵＥｃに割り当てられたアンテナポート番号とを特定することができる。【０１３１】
そして、ｅＮＢｉは、Ｓ６０１で通知した無線リソースを用いて各局宛のデータを多重して、ＵＥｋとＵＥｃとに送信する（Ｓ６０６〜Ｓ６０８）。ＵＥｋは、ｅＮＢｉが送信した無線信号を受信する（Ｓ６０９）。続いて、ＵＥｋは、受信した無線信号から自局宛のデータ信号を復号する（Ｓ６１０）。このとき、ＵＥｋは、ＵＥｃのアンテナポート番号から特定される個別パイロット信号を用いてチャネル推定値を算出し、チャネル推定値を用いて干渉信号を抑圧して復号する。【０１３２】
同様に、ＵＥｃは、ｅＮＢｉが送信した無線信号を受信する（Ｓ６１１）。続いて、ＵＥｃは、受信した無線信号から自局宛のデータ信号を復号する（Ｓ６１２）。このとき、ＵＥｃは、ＵＥｋのアンテナポート番号から特定される個別パイロット信号を用いてチャネル推定値を算出し、チャネル推定値を用いて干渉信号を抑圧して復号する。その後、マルチユーザＭＩＭＯ送信が実行される場合には、Ｓ６０１以降が繰り返される。【０１３３】
［効果］
このように、実施例４によれば、移動局は、アンテナポート番号の対応表を保持していない場合でも、実施例２と同様に、干渉信号のチャネルを推定することができる。したがって、移動局は、受信信号からデータ信号を復号する際に、干渉信号を抑圧することができ、データ信号の通信品質の劣化を抑制できる。また、移動局は、対応表を保持しないので、メモリ容量を削減でき、小型化を推進することができる。
【実施例５】
【０１３４】
さて、これまで本発明の実施例について説明したが、本発明は上述した実施例以外にも、種々の異なる形態にて実施されてよいものである。そこで、以下に異なる実施例を説明する。【０１３５】
（個別パイロット信号）
上記実施例では、各ＵＥがアンテナポート番号を用いて個別パイロット信号を特定する例を説明したが、これに限定されるものではない。例えば、上記実施例では、個別パイロット信号そのものを用いてもよく、個別パイロット信号と特定できる情報であればどのような情報であっても、上記実施例と同様に処理することができる。【０１３６】
（推奨ＰＭＩ）
例えば、実施例２や実施例４で説明したマルチユーザＭＩＭＯ送信などでは、ＵＥｋからの推奨ＰＭＩ情報をｅＮＢｉにフィードバックする場合、例えば式（３）のようにフィードバックＰＭＩを決めることができる。具体的には、「コードブックの中からベクトルｘに最も近いエントリベクトルのインデックスを返す関数」と「Ｅｉｇ（Ｍ）：行列Ｍの最大固有値に対応する固有ベクトル」との積によって決定することができる。【０１３７】
【数３】
0005874820.tif 000004
【０１３８】
（システム）
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。【０１３９】
また、図示した各装置の各構成要素は機能概念的なものであり、必ずしも物理的に図示の如く構成されていることを要しない。すなわち、各装置の分散や統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。【０１４０】
（基地局のハードウェア構成）
図１３は、基地局のハードウェア構成を示す図である。図１３に示すように、基地局１０は、ハードウェアの構成要素として、ＤＳＰ（Digital  Signal  Processor）１０ａ、ＦＰＧＡ（Field  Programmable  Gate  Array）１０ｂを有する。さらに、基地局１０は、メモリ１０ｃ、ＲＦ（Radio  Frequency）回路１０ｄ、ネットワークＩＦ（Inter  Face）１０ｅを有する。
【０１４１】
ＤＳＰ１０ａと、ＦＰＧＡ１０ｂとは、スイッチ等のネットワークＩＦ１０ｅを介して各種信号やデータの入出力が可能なように接続されている。ＲＦ回路１０ｄは、アンテナを有する。メモリ１０ｃは、例えば、ＳＤＲＡＭ（Synchronous  Dynamic  Random  Access  Memory）等のＲＡＭ、ＲＯＭ（Read  Only  Memory)、フラッシュメモリにより構成される。図２に示した各種制御部は、例えばＤＳＰ１０ａ、ＦＰＧＡ１０ｂ等により実現される。図２に示した無線処理部灯は、ＲＦ回路１０ｄにより実現される。【０１４２】
（移動局のハードウェア構成）
図１４は、端末のハードウェア構成を示す図である。図１４に示すように、移動局３０は、ＣＰＵ（Central  Processing  Unit）３０ａ、メモリ３０ｂ、アンテナを有するＲＦ回路３０ｃ、ＬＣＤ（Liquid  Crystal  Display）等の表示装置３０ｄを有する。メモリ３０ｂは、例えば、ＳＤＲＡＭ等のＲＡＭ、ＲＯＭ、フラッシュメモリにより構成される。図３に示した無線処理部は、ＲＦ回路３０ｃにより実現される。また、図３に示した各種制御部は、例えばＣＰＵ３０ａ等により実現される。
【符号の説明】
【０１４３】
１０  基地局
１１  受信アンテナ
１２  無線処理部
１３  ＦＦＴ部
１４  復調部
１５  復号部
１６  ＭＡＣ／ＲＬＣ処理部
１７  無線リソース制御部
１８  ＭＡＣ制御部
１９  パケット生成部
２０  ＭＡＣスケジューリング部
２１  符号化部
２２  変調部
２３  プリコーディング部
２４  多重部
２５  ＩＦＦＴ部
２６  無線処理部
２７  送信アンテナ
３０  移動局
３１  アンテナ
３２  無線処理部
３３  ＦＦＴ部
３４  制御チャネル復調部
３５  復調部
３６  復号部
３７  制御情報処理部
３８  データ処理部
３９  多重部
４０  シンボルマッピング部
４１  多重部
４２  ＦＦＴ部
４３  周波数マッピング部
４４  送信電力制御部
４５  ＩＦＦＴ部
４６  無線処理部
【図１】
0005874820.tif 000005
【図２】
0005874820.tif 000006
【図３】
0005874820.tif 000007
【図４】
0005874820.tif 000008
【図５】
0005874820.tif 000009
【図６】
0005874820.tif 000010
【図７】
0005874820.tif 000011
【図８】
0005874820.tif 000012
【図９】
0005874820.tif 000013
【図１０】
0005874820.tif 000014
【図１１】
0005874820.tif 000015
【図１２】
0005874820.tif 000016
【図１３】
0005874820.tif 000017
【図１４】
0005874820.tif 000018